(57)【要約】【課題】操作環の回動操作の際における異音の発生や操作感の悪化を抑制し、組立後において操作環の回動操作トルクを容易に調整可能なレンズ鏡筒を提供する。【解決手段】レンズ鏡筒は、固定筒と、固定筒に対して回動操作可能な操作環と、操作環に形成された穴部に挿着された摩擦部材と、摩擦部材を操作環の外径方向から付勢する付勢手段とを有し、摩擦部材は、付勢手段により付勢されることで固定筒に面接触しており、操作環が回動する際に摩擦部材と固定筒との間に摩擦力が発生するように構成されている。【選択図】図１
2012194338.tif 000002
【特許請求の範囲】
【請求項１】
固定筒と、
前記固定筒に対して回動操作可能な操作環と、  
前記操作環に形成された穴部に挿着された摩擦部材と、
前記摩擦部材を前記操作環の外径方向から付勢する付勢手段と、を有し、
前記摩擦部材は、前記付勢手段により付勢されることで前記固定筒に面接触しており、前記操作環が回動する際に該摩擦部材と該固定筒との間に摩擦力が発生するように構成されている、ことを特徴とするレンズ鏡筒。
【請求項２】
前記摩擦部材は円柱形状又は角柱形状であり、該摩擦部材の底面において前記固定筒に面接触していることを特徴とする請求項１に記載のレンズ鏡筒。
【請求項３】
前記付勢手段の付勢力の大きさを調整することで前記操作環の回動操作トルクが調整可能に構成されていることを特徴とする請求項１又は２に記載のレンズ鏡筒。
【請求項４】
前記付勢手段は、前記操作環の外径部に配設された板バネと該板バネを該操作環に固定するネジとを有し、
前記ネジの締付け量を調整することで前記回動操作トルクが調整可能に構成されていることを特徴とする請求項３に記載のレンズ鏡筒。  
【請求項５】
前記摩擦部材は、高さの異なる複数の摩擦部材から選択的に前記穴部に挿着されることで前記回動操作トルクが調整可能に構成されていることを特徴とする請求項３又は４に記載のレンズ鏡筒。
【請求項６】
前記摩擦部材は、摩擦係数の異なる複数の摩擦部材から選択的に前記穴部に挿着されることで前記回動操作トルクが調整可能に構成されていることを特徴とする請求項３又は４に記載のレンズ鏡筒。
【請求項７】
前記摩擦係数の異なる複数の摩擦部材は、互いに材質が異なることを特徴とする請求項６に記載のレンズ鏡筒。
【請求項８】
前記摩擦係数の異なる複数の摩擦部材は、互いに表面粗さが異なることを特徴とする請求項６に記載のレンズ鏡筒。
【請求項９】
請求項１乃至８のいずれか１項に記載のレンズ鏡筒と、
前記レンズ鏡筒を装着可能な撮像装置と、を有することを特徴とするカメラシステム。
【請求項１０】
請求項１乃至８のいずれか１項に記載のレンズ鏡筒を備えたことを特徴とする光学機器。
【発明の詳細な説明】
【技術分野】
【０００１】
本発明は、固定筒に対してレンズ群を移動させるための操作環を備えたレンズ鏡筒に関する。
【背景技術】
【０００２】
従来から、操作環を回動させてレンズ群を光軸方向に移動させるレンズ鏡筒がある。このとき、操作環の駆動トルクが小さすぎると、レンズ鏡筒を傾けて使用した際にレンズ群が自重で移動することがある。一方、駆動トルクが大きすぎると、回転操作が重くなり操作者に不快感を与えることになる。
【０００３】
そこで特許文献１には、固定筒の一部に深さの異なる複数の凹部を設け、少なくとも１つの凹部に弾性体を配設し、操作環を弾性体に圧接するように固定筒に変動可能に取着して操作環を駆動させるレンズ鏡筒が開示されている。このようなレンズ鏡筒により、操作環と固定筒との間にガタがなく、操作環を安定したトルクで駆動可能にしている。
【０００４】
また特許文献２には、駆動リングとレンズ鏡筒本体の嵌合摺動部にボールを接触させたレンズ装置が開示されている。このレンズ装置は、ボールをコイルバネにより所定の圧力で付勢するように調整するネジを有し、このネジを外部から穿設可能な収容孔を備えている。このような構成により、装置の組立後においても操作トルクの調整を容易に行うことが可能となる。
【先行技術文献】
【特許文献】
【０００５】
【特許文献１】特開平８−３２７８７５号公報
【特許文献２】特開２００７−４１４１０号公報
【発明の概要】
【発明が解決しようとする課題】
【０００６】
しかしながら、特許文献１の構成では、一旦、操作環と固定筒との間に弾性体を配設すると、トルクを再調整する際に操作環を取り外す必要があり、レンズ組立後にトルク調整をするのに時間を要する。また特許文献２の構成では、ボールをレンズ鏡筒本体に付勢しているため、ボールとレンズ鏡筒本体との間は点接触となり、長時間付勢されるとレンズ鏡筒本体の付勢箇所がクリープし（打痕が発生し）、操作環を回動させる際に引っ掛かりを感じ、操作感が悪化する。また、ボール（回転体）による付勢では摩擦力が発生せず、異音が発生するおそれもある。
【０００７】
そこで本発明は、操作環の回動操作の際における異音の発生や操作感の悪化を抑制し、組立後において操作環の回動操作トルクを容易に調整可能なレンズ鏡筒、カメラシステム、および、光学機器を提供する。
【課題を解決するための手段】
【０００８】
本発明の一側面としてのレンズ鏡筒は、固定筒と、前記固定筒に対して回動操作可能な操作環と、前記操作環に形成された穴部に挿着された摩擦部材と、前記摩擦部材を前記操作環の外径方向から付勢する付勢手段とを有し、前記摩擦部材は、前記付勢手段により付勢されることで前記固定筒に面接触しており、前記操作環が回動する際に該摩擦部材と該固定筒との間に摩擦力が発生するように構成されている。
【０００９】
本発明の他の側面としてのカメラシステムは、前記レンズ鏡筒と、前記レンズ鏡筒を装着可能な撮像装置とを有する。
【００１０】
本発明の他の側面としての光学機器は、前記レンズ鏡筒を備える。
【００１１】
本発明の他の目的及び特徴は、以下の実施例において説明される。
【発明の効果】
【００１２】
本発明によれば、操作環の回動操作の際における異音の発生や操作感の悪化を抑制し、組立後において操作環の回動操作トルクを容易に調整可能なレンズ鏡筒、カメラシステム、および、光学機器を提供することができる。
【図面の簡単な説明】
【００１３】
【図１】本実施例におけるレンズ鏡筒の断面図である。
【図２】本実施例におけるレンズ鏡筒の分解斜視図である。
【図３】本実施例におけるレンズ鏡筒の要部平面図である。
【図４】本実施例におけるレンズ鏡筒の要部拡大図である。
【図５】本実施例におけるレンズ鏡筒の斜視図である。
【発明を実施するための形態】
【００１４】
以下、本発明の実施形態について、図面を参照しながら詳細に説明する。各図において、同一の部材については同一の参照番号を付し、重複する説明は省略する。
【実施例１】
【００１５】
図１は、本実施例におけるレンズ鏡筒の断面図、図２はレンズ鏡筒の分解斜視図、図３はレンズ鏡筒の要部平面図、図４はレンズ鏡筒（トルク調整機構）の要部拡大図、図５はレンズ鏡筒の斜視図である。
【００１６】
図１乃至図５に示されるレンズ鏡筒１００において、１はマウントである。レンズ鏡筒１００は、マウント１を介して、撮像装置であるカメラ本体（不図示）のマウント部に装着可能に構成されている。２はマウントリングであり、３は固定筒である。固定筒３は、カメラ本体にマウント１及びマウントリング２を介して固定される。図３に示されるように、固定筒３の断面周上には、複数の位置規制コロ９ａ、９ｂ、９ｃを配設する複数の溝部３ａ、３ｂ、３ｃが設けられている。ただし本実施例は、位置規制コロ及び溝部の個数を限定するものではない。
【００１７】
４は操作環であり、固定筒３に対して回転可能に嵌合されている。操作環４は、光軸ＯＡ上を移動するレンズ群１２ａ、１２ｂを駆動させるカム環１１に連結されており、操作環４を回動操作することでレンズ群１２ａ、１２ｂが光軸ＯＡ上を移動する。操作環４には操作カバー８が巻装されており、容易な回動操作ができるように構成されている。
【００１８】
操作環４は、固定筒３に対して回動操作可能に設けられている。また操作環４は、位置規制コロ９ａ、９ｂ、９ｃにより光軸方向の位置およびその回動範囲が規制されている。操作環４を回動させる際に生じる回動操作トルクを構成する要素は、大別して、レンズ群１２ａ、１２ｂと保持筒１０との間の摺動によるトルク、および、固定筒３と操作環４との間で生じるトルクに分けられる。本実施例のレンズ鏡筒１００は、トルク調整機構２０により、固定筒３と操作環４との間に生じる回動操作トルクを調整可能に構成されている。
【００１９】
次に、図２を参照して、本実施例におけるトルク調整機構２０の構成について説明する。トルク調整機構２０は、コロ５、板バネ６、および、ネジ７ａ、７ｂを備えて構成される。コロ５は摩擦部材であり、操作環４に形成された穴部４ｂに挿着されている。操作環４の外径部に配設された板バネ６、および、板バネ６を操作環４に固定するネジ７ａ、７ｂは、付勢手段を構成する。
【００２０】
操作環４は、内外径に通挿するように形成された穴部４ｂを有する。穴部４ｂには、摩擦部材としてのコロ５が挿着されている。コロ５は、円柱形状を有し、ポリアセタール（ＰＯＭ）から構成されている。コロ５は、板バネ６が操作環４の外径方向から固定筒３の溝部３ｂに付勢されてネジ７ａ、７ｂが穴部４ｃ、４ｄにそれぞれ固定されることで圧接される。このため、操作環４を回動操作する際に、コロ５の摩擦面５ａと固定筒３の溝部３ｂとの間に摩擦力が発生する。
【００２１】
このように、コロ５は、板バネ６により付勢されることで固定筒３に面接触しており、操作環４が回動する際にコロ５と固定筒３との間に摩擦力が発生するように構成されている。本実施例では、コロ５の底面が固定筒３（溝部３ｂ）に対して面接触するように構成されていれば、円柱形状に限定されるものではなく、角柱形状などの他の形状を有するものであってもよい。また、コロ５を構成する材料はポリアセタール（ＰＯＭ）に限定されるものではなく、他の樹脂やセラミック、金属などを用いてもよい。また実施例において、固定筒３の溝部３ｂは樹脂で構成されているが、セラミックや金属などを用いてもよい。
【００２２】
板バネ６は、ネジ７ａ、７ｂにより、操作環４に設けられた凹部４ａに螺設されている。このとき、コロ５の付勢部５ｂと所定の距離だけ離れて配置されているネジ７ａの締付け量を調整することで、板バネ６による付勢力の大きさを調整し、摩擦力を可変に設定可能となる。このように、本実施例のレンズ鏡筒１００は、ネジ７ａの締付け量（付勢手段の付勢力の大きさ）を調整することで操作環４の回動操作トルクが調整可能に構成されている。
【実施例２】
【００２３】
次に、本発明の実施例２におけるレンズ鏡筒（トルク調整機構２０）の構成について説明する。本実施例のレンズ鏡筒の基本的構成は実施例１のレンズ鏡筒１００と同様であるため、その説明は省略する。
【００２４】
本実施例のレンズ鏡筒において、摩擦部材としてのコロ５は、高さの異なる複数のコロから選択的に穴部４ｂに挿着されることで、操作環４の回動操作トルクが調整可能に構成されている。本実施例では、例えば０．０５ｍｍ程度ずつ高さの異なる複数のコロ５を選択可能である。このように高さの異なる複数のコロから適切なコロを選択することで、板バネ６による付勢力の大きさを調整し、摩擦力を可変に設定可能となる。このように本実施例のレンズ鏡筒は、コロの高さを調整することで操作環４の回動操作トルクが調整可能となる。
【００２５】
特に、本実施例において、複数のコロは同一の大きさ（同一の径）の底面を有する円柱形状又は角柱形状であるため、穴部４ｂなどの大きさや構成を変更することなく簡易な構成で複数のコロを選択することができる。
【実施例３】
【００２６】
次に、本発明の実施例３におけるレンズ鏡筒（トルク調整機構）の構成について説明する。本実施例のレンズ鏡筒の基本的構成は実施例１のレンズ鏡筒１００と同様であるため、その説明は省略する。
【００２７】
本実施例のレンズ鏡筒において、摩擦部材は、摩擦係数の異なる複数の摩擦部材から選択的に穴部４ｂに挿着されることで、操作環４の回動操作トルクが調整可能に構成されている。本実施例では、ポリアセタール（ＰＯＭ）からなるコロ５の代わりに、摩擦係数が互いに異なる材質、例えばポチコンコロやノリルコロなどのコロ（摩擦部材）を選択可能である。ただし、本実施例は互いに異なる材質に限定されるものではない。例えば、コロ５の摩擦面５ａの表面粗さが互いに異なる複数のコロ５を選択可能に構成してもよい。このように摩擦係数の異なる複数のコロから適切なコロを選択することで、板バネ６による付勢力の大きさを調整し、摩擦力を可変に設定可能となる。このように本実施例のレンズ鏡筒は、摩擦部材の摩擦係数を調整することで操作環４の回動操作トルクが調整可能となる。
【００２８】
以上、本発明の好ましい実施形態について説明したが、本発明はこれらの実施形態に限定されず、その要旨の範囲内で種々の変形及び変更が可能である。
【００２９】
上記各実施例におけるレンズ鏡筒は、例えば、フィルムカメラ、デジタルカメラ、監視カメラ、ビデオカメラ、プロジェクタ、望遠鏡、及び顕微鏡など各種の光学機器や、筒状部材、移動部材、及び回動部材を有する各種の機器に適用可能である。またレンズ鏡筒は、レンズ鏡筒を装着可能な撮像装置との組み合わせによりカメラシステムを構成することもできる。
【００３０】
以上、上記各実施例によれば、操作環の回動操作の際における異音の発生や操作感の悪化を抑制し、組立後において操作環の回動操作トルクを容易に調整可能なレンズ鏡筒、カメラシステム、および、光学機器を提供することができる。これにより、レンズ鏡筒の組立後に残る回動操作トルクのバラつきを吸収し、一定の回動操作トルクに調整可能である。このため、各部品に加工上の寸法バラつきや成形バラつきがある場合でも、これらのバラつきを吸収してラジアル方向のガタを取ることができる。また、外径部より操作環の回動トルクを調整することが可能であるため、サービス性の向上を図ることができ、トルク性能に変化があった場合でも、容易に所望の設定トルクに再調整することが可能である。
【符号の説明】
【００３１】
３  固定筒
４  操作環
５  コロ
６  板バネ
７ａ、７ｂ  ネジ
２０  トルク調整機構  
１００  レンズ鏡筒
【図１】
2012194338.tif 000003
【図２】
2012194338.tif 000004
【図３】
2012194338.tif 000005
【図４】
2012194338.tif 000006
【図５】
2012194338.tif 000007